(57)【特許請求の範囲】
【請求項１】
収納ケースと、前記収納ケースの内部に着脱可能に収納される脱臭カートリッジと、前記脱臭カートリッジの反対端部に隣接して前記収納ケースの上部に収納され、空気を前記脱臭カートリッジの一端部から反対端部に向かって通流させる送風ファンとから形成され、
前記収納ケースが、上下方向へ長く延びていて透明なプラスチックから作られた円筒状の胴部材と、前記胴部材の下部に位置する円環状の第１端部材と、前記胴部材の上部に位置する円環状の第２端部材と、前記第２端部材に取り付けられたフックと、前記フックに挿通される吊り下げ紐とを有し、
前記脱臭カートリッジが、前記空気を通流可能な空気流路を有して上下方向へ長く延びていて、蛍光物質、重金属、インク成分を含まず、かつ、吸湿性および通気性に優れた楮紙、三椏紙、雁皮紙のいずれかの和紙から作られた六角形の断面形状の複数の中空部材の集合物であり、それら中空部材の外周面どうしを互いに当接させたハニカム構造に成形され、前記臭気を吸着する活性炭と人工ゼオライト粉末と炭粉末とのうちの少なくとも１つからなる吸着式脱臭剤が、前記中空部材の周面全域に担持され、
バッテリーと前記バッテリーに電気を供給するソーラーパネルとが、前記送風ファンに接続され、前記送風ファンの回転速度が、１〜５００ｒ／ｍｉｎの範囲にあり、前記中空部材の空気流路に流れる空気の流速が、０．１〜０．７ｍ３／ｓｅｃの範囲にある脱臭装置。
【発明の詳細な説明】
【技術分野】
【０００１】
本発明は、空気に含まれる臭気を取り除く脱臭装置に関する。
【背景技術】
【０００２】
建物の床下に設置された脱臭装置と、建物内の空気を脱臭装置に供給するとともに脱臭した後の空気を建物内に戻す循環路と、循環路に取り付けられた送風ファンとを備え、脱臭装置が、脱臭ケースと、折り曲げられた状態で脱臭ケースに収容された脱臭シートとから形成された脱臭システムがある（特許文献１参照）。この脱臭システムは、送風ファンによって建物内の空気が循環路を通って脱臭装置内に進入し、脱臭装置において脱臭された空気が循環路を通って再び建物内に流入する。この脱臭システムでは、脱臭シートが折り曲げられた状態で脱臭ケースに収納されているから、脱臭シートの脱臭面積を大きくすることができ、脱臭効率を向上させることができる。
【特許文献１】特開２００６−１２２２６１号公報
【発明の開示】
【発明が解決しようとする課題】
【０００３】
前記特許公報に開示の脱臭システムは、脱臭シートが折り曲げられた状態で脱臭ケースに収納されているが、脱臭シートの折り曲げ方によってはシートが空気に対する抵抗となる場合がある。脱臭シートが空気抵抗になると、空気が脱臭装置内を円滑に通流することができないのみならず、脱臭装置内に空気の滞留空間が形成される場合があり、シートの全域を脱臭に利用することができず、シートにおける脱臭効率が低下する。また、この脱臭システムは、送風ファンの回転速度が高いと、空気が脱臭装置内を瞬時に通過してしまうから、空気の脱臭シートに対する接触時間が極端に短くなり、空気に含まれる臭気を脱臭シートに十分に吸着させることができない。
【０００４】
本発明の目的は、脱臭効率を向上させることができ、空気に含まれる臭気を確実に取り除くことができる脱臭装置を提供することにある。
【課題を解決するための手段】
【０００５】
前記課題を解決するための本発明は、収納ケースと、前記収納ケースの内部に着脱可能に収納される脱臭カートリッジと、前記脱臭カートリッジの反対端部に隣接して前記収納ケースの上部に収納され、空気を前記脱臭カートリッジの一端部から反対端部に向かって通流させる送風ファンとから形成され、前記収納ケースが、上下方向へ長く延びていて透明なプラスチックから作られた円筒状の胴部材と、前記胴部材の下部に位置する円環状の第１端部材と、前記胴部材の上部に位置する円環状の第２端部材と、前記第２端部材に取り付けられたフックと、前記フックに挿通される吊り下げ紐とを有し、前記脱臭カートリッジが、前記空気を通流可能な空気流路を有して上下方向へ長く延びていて、蛍光物質、重金属、インク成分を含まず、かつ、吸湿性および通気性に優れた楮紙、三椏紙、雁皮紙のいずれかの和紙から作られた六角形の断面形状の複数の中空部材の集合物であり、それら中空部材の外周面どうしを互いに当接させたハニカム構造に成形され、前記臭気を吸着する活性炭と人工ゼオライト粉末と炭粉末とのうちの少なくとも１つからなる吸着式脱臭剤が、前記中空部材の周面全域に担持され、バッテリーと前記バッテリーに電気を供給するソーラーパネルとが、前記送風ファンに接続され、前記送風ファンの回転速度が、１〜５００ｒ／ｍｉｎの範囲にあり、前記中空部材の空気流路に流れる空気の流速が、０．１〜０．７ｍ３／ｓｅｃの範囲にある脱臭装置である。
【発明の効果】
【０００６】
発明にかかる脱臭装置によれば、脱臭カートリッジが空気流路を有して一方向へ延びる複数の中空部材から作られ、中空部材がその空気流路を通る空気の抵抗となることはなく、中空部材の空気流路に空気の滞留空間が形成されることもないから、空気が中空部材の内部を円滑に流動することができ、中空部材の表面全域を臭気の脱臭に利用することができる。脱臭装置は、送風ファンによって脱臭カートリッジの一端部から反対端部に向かって空気を流動させ、脱臭カートリッジを形成する中空部材の周面に空気を確実に接触させることができるから、脱臭カートリッジの脱臭機能を最大限に利用することができ、脱臭装置における脱臭効率を向上させることができる。脱臭装置は、送風ファンの回転速度を１〜５００ｒ／ｍｉｎの範囲にあり、中空部材の空気流路を流れる空気の流速が０．１〜０．７ｍ３／ｓｅｃの範囲にあるから、空気が中空部材の内部をゆっくりと流れ、中空部材の周面に対する空気の接触時間が長く、中空部材の周面に担持された吸着式脱臭剤に空気に含まれる臭気を十分に吸着させることができ、空気に含まれる臭気を確実に取り除くことができる。
【０００７】
脱臭装置は、中空部材が和紙から作られて六角形の断面形状を有し、脱臭カートリッジがハニカム構造に形成され、脱臭カートリッジをハニカム構造にすることで、カートリッジの座屈強度や圧縮強度が向上し、カートリッジが破損し難く、カートリッジが破損することによる脱臭機能の低下を防ぐことができる。脱臭装置は、中空部材が六角形に形成されることで、中空部材の周面の面積を最大にすることができ、それら中空部材の周面に担持された吸着式脱臭剤に臭気を十分に吸着させることができる。この脱臭装置は、和紙から作られた中空部材が通気性と吸湿性とを有するから、隣接する中空部材間において空気が流通し、それら中空部材の周面に担持された吸着式脱臭剤に空気に含まれる臭気を確実に吸着させることができるとともに、それら中空部材に空気中の湿気を吸着させることができる。
【０００８】
脱臭装置は、脱臭カートリッジと送風ファンとが収納ケースに収納され、脱臭装置を吊り下げるフック（吊り下げ手段）がケースに形成されており、送風ファンによって脱臭カートリッジの一端部から反対端部に向かって空気を流動させ、脱臭カートリッジを形成する中空部材の周面に空気を確実に接触させることができるから、脱臭カートリッジの脱臭機能を最大限に利用することができ、脱臭装置における脱臭効率を向上させることができる。脱臭装置は、所定期間使用した脱臭カートリッジをケースから取り出して交換することができるから、脱臭機能の低下したカートリッジを新しいそれと取り換えることで、脱臭装置における脱臭効率の低下を防ぐことができる。この脱臭装置は、フックと吊り下げ紐とによって脱臭装置を吊り下げることができるから、脱臭装置を他の物の邪魔にならない高所に設置することができる。
【０００９】
脱臭装置は、バッテリーとバッテリーに電気を供給するソーラーパネルとが送風ファンに接続され、ソーラーパネルの発電機能を利用して送風ファンを駆動させるから、光エネルギーのみを利用した省エネルギータイプの脱臭装置にすることができ、省エネを図ることができるとともに、環境に負荷をかけることもない。
【００１０】
脱臭装置は、吸着式脱臭剤として活性炭と人工ゼオライト粉末と炭粉末とのうちの少なくとも１つが使用され、活性炭や人工ゼオライト粉末、炭粉末の優れた脱臭機能を利用することで、中空部材の周面に担持された活性炭や人工ゼオライト粉末、炭粉末に空気に含まれる臭気を十分に吸着させることができ、空気に含まれる臭気を確実に取り除くことができる。人工ゼオライト粉末を使用した脱臭装置は、人工ゼオライト粉末が優れた吸湿機能を有するから、それら人工ゼオライト粉末に空気中の湿気を吸着させることができる。
【発明を実施するための最良の形態】
【００１１】
添付の図面を参照し、本発明に係る脱臭装置の詳細を説明すると、以下のとおりである。図１は、上端部の側から見た一例として示す脱臭装置１０Ａの斜視図であり、図２は、下端部の側から見た脱臭装置１０Ａの斜視図である。図３は、脱臭装置１０Ａの上面図であり、図４は、脱臭装置１０Ａの底面図である。図５は、図１の５−５線矢視断面図であり、図６は、図３の６−６線矢視断面図である。図１，２では、上下方向を矢印Ａで示し、横方向を矢印Ｂで示す。図１，２では、吊り下げ紐２３やバッテリー３９、ソーラーパネル４０の図示を省略している。図６では、脱臭カートリッジ１２やフック２２の図示を省略している。脱臭装置１０Ａは、上下方向（一方向）へ延びる収納ケース１１および脱臭カートリッジ１２と、送風ファン１３（ファンモータ）とから形成されている。
【００１２】
収納ケース１１は、上下方向（一方向）へ長い円筒状の胴部材１４と、胴部材１４の下部１５に位置する円環状の第１端部材１６と、胴部材１４の上部１７に位置する円環状の第２端部材１８とから形成されている。胴部材１４は、透明なプラスチックから作られている。胴部材１４の内部には、脱臭カートリッジ１２や送風ファン１３の収納スペース１９が画成されている。第１および第２端部材１６，１８は、着色されたプラスチックから作られている。第１端部材１６は、その直径が胴部材１４のそれよりもわずかに大きく、胴部材１４の下部１５周縁に着脱可能に嵌め込まれている。収納ケース１１の下端部２０には、第１端部材１６に囲繞された空気流入口２１が形成されている。
【００１３】
第２端部材１８は、その直径が胴部材１４のそれよりもわずかに大きく、胴部材１４の上部１７周縁に固定手段（接着剤による接着、ビス止め等）によって固定されている。第２端部材１８には、その周り方向へ並ぶフック２２（吊り下げ手段）が取り付けられている。収納ケース１１では、フック２２に吊り下げ紐２３（吊り下げ手段）が通される（図８参照）。収納ケース１１の上端部２４には、第２端部材１８に囲繞された空気流出口２５が形成されている。吊り下げ紐２３を天井や壁、柱に掛けることで、下端部２０が下となり、上端部２４が上となるように、脱臭装置１０Ａを上下方向に直立させた状態で高所に吊り下げることができる。なお、胴部材１４や第１および第２端部材１６，１８は、金属から作ることもできる。また、胴部材１４の形状を円筒状に限定するものではなく、部材１４が角筒状であってもよい。第１および第２端部材１６，１８の形状を円環状に限定するものではなく、それら部材１６，１８が角環状であってもよい。
【００１４】
図７は、一例として示す脱臭カートリッジ１２の斜視図である。脱臭カートリッジ１２は、上下方向（一方向）へ延びる複数の中空部材２６の集合物から作られている。カートリッジ１２は、収納ケース１１の収納スペース１９に取り外し可能に収納され、ケース１１の下端部２０（空気流入口２１）に位置する一端部２７と、ケース１１の上端部２４（空気流出口２５）に位置する反対端部２８とを有する。カートリッジ１２は、図３に示すように、中空部材２６の外周面２９どうしを互いに当接させて作られたハニカム構造に形成されている。中空部材２６は、和紙から作られ、正六角形の断面形状を有する。中空部材２６の内部には、空気が通過可能な直状に延びる空気流路３０が画成されている。中空部材２６の内周面３１全域には、空気に含まれる臭気を吸着する吸着式脱臭剤（図示せず）が担持されている。
【００１５】
脱臭カートリッジ１２をケース１１に収納するには、第１端部材１６を胴部材１４の下部１５周縁から取り外してケース１１の下端部２０を開け、カートリッジ１２をケース１１の下端部２０から収納スペース１９に挿入した後、第１端部材１６を胴部材１４の下部１５周縁に嵌め込む。ケース１１に収納されたカートリッジ１２は、その一端部２７の周縁３２が第１端部材１６の内周縁部３３の内側に位置することで、ケース１１からの抜け落ちが防止される。カートリッジ１２をケース１１から取り外すには、第１端部材１６を胴部材１４の下部１５周縁から取り外してケース１１の下端部２０を開け、カートリッジ１２を収納スペース１９から抜き取る。
【００１６】
中空部材２６を作る和紙には、蛍光物質や重金属、インク成分を含まず、吸湿性および通気性に優れた楮紙や三椏紙、雁皮紙のいずれかを使用することができる。和紙には、それらの他に、イネ、竹、笹、カジノキ、アサ、麦、クワ、スギ、ヒノキ、クズ、パルプから作られた和紙を使用することもできる。パルプには、木材パルプ、ぼろパルプ、茎かんパルプ、靭皮パルプのうちの少なくとも1つを使用することができる。なお、中空部材２６は、和紙の他に、他の種類の紙から作られていてもよい。
【００１７】
中空部材２６の内周面３１に担持された吸着式脱臭剤には、活性炭、人工ゼオライト粉末、粉状や粒状に粉砕した炭粉末、のうちのいずれか１つまたはそれらの混合物が使用されている。活性炭は、ヤシガラ系の破砕状活性炭や石炭系の球状活性炭が使用され、その細孔径が５〜３００Åにあり、優れた臭気吸着機能を有する。活性炭には、ヨウ素酸や無機酸を付着させて臭気のうちの塩基性成分、酸性成分、中性成分を同時に吸着する活性炭を使用することもできる。人工ゼオライトは、無水物である石炭灰をアルカリ水熱処理することから作られる。人工ゼオライト粉末は、その細孔径が５〜１９Åの範囲、比表面積が１００〜１５０ｍ２／ｇｒの範囲にあり、吸湿能力が２０〜５０％の範囲、吸油能力が１．３〜１．５倍の範囲にある。人工ゼオライト粉末は、細孔径や比表面積が前記範囲にあるから、優れた臭気吸着機能を有し、さらに、吸湿能力や吸油能力が前記範囲にあるから、優れた吸湿機能および吸油機能を有する。活性炭や人工ゼオライト粉末は、中空部材２６の内周面３１に接着剤（図示せず）を介して固着されている。
【００１８】
炭粉末には、広葉樹から作られた中温炭粉末、広葉樹から作られた高温炭粉末、針葉樹から作られた中温炭粉末（活性化炭素）、針葉樹から作られた高温炭粉末（活性化炭素）、竹から作られた中低温炭粉末のいずれか１つまたはそれらの混合物を使用することができる。なお、炭粉末としては竹から作られた中低温炭粉末を使用することが好ましい。炭粉末は、高い臭気吸着機能を有する。炭粉末は、中空部材２６の内周面３１に接着剤を介して固着される。
【００１９】
送風ファン１３は、ケーシング３４と、ケーシング３４の内部に固定されたモータ３５と、モータ３５の軸に取り付けられたロータ３６とから形成されている。送風ファン１３は、脱臭カートリッジ１２の反対端部２８に隣接し、収納ケース１１の上端部２４における収納スペース１９に配置されている。送風ファン１３では、そのケーシング３４が第２端部材１８の内周縁部３７に固定手段（接着剤による接着、ビス止め等）によって固定されている。送風ファン１３では、ロータ３６の直径が第２端部材１８の内周縁部３７の直径よりもわずかに小さく、ロータ３６がカートリッジ１２の反対端部３８の略全域に跨っている。
【００２０】
送風ファン１３には、バッテリー３９と、バッテリー３９に電気を供給するソーラーパネル４０とが配線４１を介して接続される（図８参照）。ソーラーパネル４０は、光エネルギーを電気エネルギーに変換し、電気エネルギーをバッテリー３９に供給する。バッテリー３８は、ソーラーパネル４０から供給された電気エネルギーを蓄える。送風ファン１３に対して電気が導通状態になると、バッテリー３９からモータ３５に電気が供給される。
【００２１】
送風ファン１３では、モータ３５の回転によってロータ３６が回転し、脱臭装置１０Ａの内部に空気の流れが作られる。なお、送風ファン１３の回転速度は１〜５００ｒ／ｍｉｎの範囲にあり、中空部材２６の空気流路３０を流れる空気の流速は０．１〜０．７ｍ３／ｓｅｃの範囲にある。中空部材２６の空気流路３０を流れる空気の流速が０．７ｍ３／ｓｅｃを超過すると、空気が中空部材２６の空気流路３０を短時間に通過してしまうから、中空部材２６の内周面３１に対する空気の接触時間が短くなり、空気に含まれる臭気を活性炭や人工ゼオライト粉末、炭粉末に十分に吸着させることができない。この脱臭装置１０Ａは、中空部材２６の空気流路３０を流れる空気の流速が前記範囲にあり、空気が中空部材２６の空気流路３０をゆっくりと流れるから、中空部材２６の内周面３１に対する空気の接触時間を長くすることができる。
【００２２】
図８は、使用状態で示す脱臭装置１０Ａの側面図である。この脱臭装置１０Ａは、吊り下げ紐２３を天井４２に掛けることで、天井４２から吊り下げられている。送風ファン１３には配線４１を介してバッテリー３９が接続され、バッテリー３９には配線４１を介してソーラーパネル４０が接続されている。なお、図示はしていないが、配線４１にはスイッチが取り付けられ、スイッチをＯＮにすることで、電気が送風ファン１３に供給され、スイッチをＯＦＦにすることで、送風ファン１３に対する電気の供給が遮断される。
【００２３】
スイッチをＯＮにすると、モータ３５が駆動し、それによってロータ３６が回転する。ロータ３６が回転すると、図８に矢印Ｌ１で示すように、空気が脱臭装置１０Ａの下端部２０（空気流入口２１）から装置１０Ａの内部に進入する。空気は、各中空部材２６の空気流路３０を通り、脱臭カートリッジ１２の一端部２７から反対端部２８に向かってゆっくりと通流する。脱臭装置１０Ａでは、送風ファン１３のロータ３６がカートリッジ１２の反対端部３８の略全域に跨り、ロータ３６が反対端部３８の略全域をカバーしているから、ロータ３６の回転によってすべての中空部材２６の空気流路３０に空気の流れが生じ、すべての中空部材２６の空気流路３０を空気が流動する。
【００２４】
空気に含まれる臭気は、中空部材２６の内周面３１に固着された活性炭や人工ゼオライト粉末、炭粉末に吸着される。臭いが取り除かれた空気は、図８に矢印Ｌ２で示すように、脱臭装置１０Ａの上端部２４（空気流出口２５）から排出される。この脱臭装置１０Ａは、すべての中空部材２６の空気流路３０を空気が流動するから、一部の中空部材２６において空気が対流することはなく、それらすべての中空部材２６を臭気の脱臭に利用することができる。なお、脱臭カートリッジ１２を所定期間使用した後は、そのカートリッジ１２をケース１１から取り外し、新しいカートリッジ１２をケース１１に収納する。
【００２５】
脱臭装置１０Ａは、脱臭カートリッジ１２が直状に延びる空気流路３０を有する複数の中空部材２６から作られ、中空部材２６がその空気流路３０を通る空気の抵抗となることはなく、中空部材２６の空気流路３０に空気の滞留空間が形成されることもないから、空気が中空部材２６の内部を円滑に流動することができ、中空部材２６の内周面３１全域を臭気の脱臭に利用することができる。脱臭装置１０Ａは、送風ファン１３によって空気を脱臭カートリッジ１２の一端部２７から反対端部２８に向かってゆっくりと流動させ、中空部材２６の内周面３１に対する空気の接触時間が長く、内周面３１に空気を確実に接触させることができるから、カートリッジ１２の脱臭機能を最大限に利用することができ、装置１０Ａにおける脱臭効率を向上させることができる。脱臭装置１０Ａは、中空部材２６の内周面３１に対する空気の接触時間が長いから、空気に含まれる臭気を中空部材２６の内周面３１に固着された活性炭や人工ゼオライト粉末、炭粉末に十分に吸着させることができ、空気に含まれる臭気を確実に取り除くことができる。
【００２６】
脱臭装置１０Ａでは、中空部材２６が和紙から作られて六角形の断面形状を有し、脱臭カートリッジ１２がハニカム構造に形成されているから、カートリッジ１２の座屈強度や圧縮強度が向上し、カートリッジ１２が破損し難く、カートリッジ１２が破損することによる脱臭機能の低下を防ぐことができる。脱臭装置１０Ａは、中空部材２６が六角形に形成されることで、中空部材２６の内周面３１の面積を最大にすることができ、それら中空部材２６の面を臭気の脱臭に有効に利用することができる。脱臭装置１０Ａは、和紙から作られた中空部材２６が優れた通気性と優れた吸湿性とを有するから、隣接する中空部材２６間において空気が流通し、空気に含まれる臭気をそれら中空部材２６の内周面３１に固着された活性炭や人工ゼオライト粉末、炭粉末の全域に確実に吸着させることができるとともに、それら中空部材２６に空気中の湿気を吸着させることができる。
【００２７】
脱臭装置１０Ａは、所定期間使用して脱臭機能の低下した脱臭カートリッジ１２をケース１１から取り出して交換することができるから、古いカートリッジ１２を新しいそれと取り換えることで、脱臭装置１０Ａにおける脱臭効率の低下を防ぐことができる。脱臭装置１０Ａは、吊り下げ紐２３によって装置１０Ａを吊り下げることができるから、装置１０Ａを他の物の邪魔にならない高所に設置することができる。脱臭装置１０Ａは、ソーラーパネル４０の発電機能を利用して送風ファン１３を駆動させるから、光エネルギーのみを利用した省エネルギータイプの装置１０Ａにすることができ、省エネを図ることができるとともに、環境に負荷をかけることもない。
【００２８】
図９は、上端部２４の側から見た他の一例として示す脱臭装置１０Ｂの斜視図であり、図１０は、下端部２０の側から見た脱臭装置１０Ｂの斜視図である。図１１は、脱臭装置１０Ｂの底面図であり、図１２は、脱臭装置１０Ｂの上面図である。図１３は、図１１の１３−１３線矢視断面図である。図９，１０では、上下方向を矢印Ａで示し、横方向を矢印Ｂで示す。図９，１０では、バッテリー３９やソーラーパネル４０、スタンド４４の図示を省略している。図１１，１３では、脱臭カートリッジ１２（図１３のみ）やスタンド４４の図示を省略している。この脱臭装置１０Ｂは、上下方向（一方向）へ延びる収納ケース１１および脱臭カートリッジ１２と、光源４３（熱源）とから形成されている。
【００２９】
図９の脱臭装置１０Ｂが図１のそれと異なるところは、送風ファン１３に換えて光源４３が取り付けられ、さらに、吊り下げ手段に換えて装置１０Ｂを支持するスタンド４４が取り付けられている点にある。前記異なる点を除き、この脱臭装置１０Ｂにおけるその他の構成は図１の脱臭装置１０Ａのそれらと同一であるから、図１と同一の符号を付すことで、この装置１０Ｂにおけるその他の構成の説明は省略する。
【００３０】
第１端部材１６は、その直径が胴部材１４のそれよりもわずかに大きく、胴部材１４の下部１５周縁に固定手段（接着剤による接着、ビス止め等）によって固定されている。第１端部材１６には、その周り方向へ並ぶスタンド４４が取り付けられている。収納ケース１１の下端部２０には、第１端部材１６に囲繞された空気流入口２１が形成されている。第２端部材１８は、その直径が胴部材１４のそれよりもわずかに大きく、胴部材１４の上部１７周縁に着脱可能に嵌め込まれている。収納ケース１１の上端部２４には、第２端部材１８に囲繞された空気流出口２５が形成されている。スタンド４４は、第１端部材１６の外周面４５に取り付けられている。スタンド４４は、第１端部材１６から斜め下方へ延びる脚部材４６と、脚部材４６の下端から横方向へ延びる接地部材４７とから形成されている。接地部材４７を床４８（地面）に接地させることで、脱臭装置１０Ｂを床４８から上方へ離間かつ上下方向に起立させた状態で、装置１０Ｂを床４８に置くことができる（図１４参照）。
【００３１】
脱臭カートリッジ１２をケース１１に収納するには、第２端部材１８を胴部材１４の上部１７周縁から取り外してケース１１の上端部２４を開け、カートリッジ１２をケース１１の上端部２４から収納スペース１９に挿入した後、第２端部材１８を胴部材１４の上部１７周縁に嵌め込む。ケース１１に収納されたカートリッジ１２は、その反対端部２８の周縁５１が第２端部材１８の内周縁部５２の内側に位置することで、ケース１１からの抜け落ちが防止される。カートリッジ１２をケース１１から取り外すには、第２端部材１８を胴部材１４の上部１７周縁から取り外してケース１１の上端部２４を開け、カートリッジ１２を収納スペース１９から抜き取る。
【００３２】
光源４３は、ケーシング４９と、ケーシング４９の内部に固定された白熱電球５０とから形成されている。光源４３は、脱臭カートリッジ１２の一端部２７に隣接し、収納ケース１１の下端部２０における収納スペース１９に配置されている。光源４３は、そのケーシング４９が第１端部材１６の内周縁部３３に固定手段（接着剤による接着、ビス止め等）によって固定されている。光源４３（白熱電球５０）には、バッテリー３９と、バッテリー３９に電気を供給するソーラーパネル４０とが配線４１を介して接続されている（図１３参照）。なお、図示はしていないが、配線４１にはスイッチが取り付けられている。スイッチをＯＮにすると、白熱電球５０に電気が供給され、スイッチをＯＦＦにすると、電球５０に対する電気の供給が遮断される。
【００３３】
図１４は、使用状態で示す脱臭装置１０Ｂの側面図である。図１４では、脱臭装置１０Ｂがスタンド４４を介して床４８に置かれている。スイッチをＯＮにすると、白熱電球５０が点灯し、それによって脱臭装置１０Ｂの下端部２０（空気流入口２１）において空気が熱せられる。電球５０によって熱せられた空気は装置１０Ｂの下端部２０から上端部２４に向かって上昇し、脱臭装置１０Ｂの内部に空気の流れが作られる。この脱臭装置１０Ｂでは、図１４に矢印Ｌ１で示すように、空気が脱臭装置１０Ｂの下端部２０（空気流入口２１）から装置１０Ｂの内部に進入する。空気は、各中空部材２６の空気流路３０を通り、脱臭カートリッジ１２の一端部２７から反対端部２８に向かってゆっくりと対流する。空気に含まれる臭気は、中空部材２６の内周面３１に固着された活性炭や人工ゼオライト粉末、炭粉末に吸着される。臭気が取り除かれた空気は、図１４に矢印Ｌ２で示すように、脱臭装置１０Ｂの上端部２５（空気流出口２５）から排出される。
【００３４】
脱臭装置１０Ｂは、脱臭カートリッジ１２が直状に延びる空気流路３０を有する複数の中空部材２６から作られ、中空部材２６がその空気流路３０を通る空気の抵抗となることはなく、中空部材２６の空気流路３０に空気の滞留空間が形成されることもないから、空気が中空部材２６の内部を円滑に対流することができ、中空部材２６の内周面３１全域を臭気の脱臭に利用することができる。脱臭装置１０Ｂは、光源４３（熱源）によって空気を熱することで、空気を脱臭カートリッジ１２の下端部２０から上端部２４に向かってゆっくりと対流させ、中空部材２６の内周面３１に対する空気の接触時間が長く、内周面３１に空気を確実に接触させることができるから、カートリッジ１２の脱臭機能を最大限に利用することができ、装置１０Ｂにおける脱臭効率を向上させることができる。脱臭装置１０Ｂは、中空部材２６の内周面３１に対する空気の接触時間が長いから、空気に含まれる臭気を中空部材２６の内周面３１に固着された活性炭や人工ゼオライト粉末、炭粉末に十分に吸着させることができ、空気に含まれる臭気を確実に取り除くことができる。
【００３５】
脱臭装置１０Ｂでは、中空部材２６が和紙から作られて六角形の断面形状を有し、脱臭カートリッジ１２がハニカム構造に形成されているから、カートリッジ１２の座屈強度や圧縮強度が向上し、カートリッジ１２が破損し難く、カートリッジ１２が破損することによる脱臭機能の低下を防ぐことができる。脱臭装置１０Ｂは、中空部材２６が六角形に形成されることで、中空部材２６の内周面３１の面積を最大にすることができ、それら中空部材２６の面を臭気の脱臭に有効に利用することができる。脱臭装置１０Ｂは、和紙から作られた中空部材２６が通気性と吸湿性とを有するから、隣接する中空部材２６間において空気が流通し、空気に含まれる臭気をそれら中空部材２６の内周面３１に固着された活性炭や人工ゼオライト粉末、炭粉末の全域に確実に吸着させることができるとともに、それら中空部材２６に空気中の湿気を吸着させることができる。
【００３６】
脱臭装置１０Ｂは、所定期間使用して脱臭機能の低下した脱臭カートリッジ１２をケース１１から取り出して交換することができるから、古いカートリッジ１２を新しいそれと取り換えることで、脱臭装置１０Ｂにおける脱臭効率の低下を防ぐことができる。脱臭装置１０Ｂは、スタンド４４によって装置１０Ｂが床４８から上方へ離間するから、装置１０Ｂにおける空気の流入口２１が塞がれることはなく、光源４３を利用して空気をカートリッジ１２の内部に確実に対流させることができる。脱臭装置１０Ｂは、ソーラーパネル４０の発電機能を利用して白熱電球５０を点灯させるから、光エネルギーのみを利用した省エネルギータイプの装置にすることができ、省エネを図ることができるとともに、環境に負荷をかけることもない。
【００３７】
図１に示す脱臭装置１０Ａは、フック２２（吊り下げ手段）と吊り下げ紐２３（吊り下げ手段）とによって天井４２に吊り下げられているが、図９に示す装置１０Ｂと同様に、第１端部材１６にスタンド４４が取り付けられていてもよく、スタンド４４を介して装置１０Ａを床４８に置くようにしてもよい。図９に示す脱臭装置１０Ｂは、スタンド４４によってそれが床４８に置かれるが、図１に示す装置１０Ａと同様に、第２端部材１８にフック２２と吊り下げ紐２３とが取り付けられ、それらを介して装置１０Ｂを高所に吊り下げるようにしてもよい。
【００３８】
図１および図９に示す装置１０Ａ，１０Ｂでは、脱臭カートリッジ１２を形成する中空部材２６の断面形状が正六角形であるが、中空部材２６の断面形状を正六角形に限定するものではなく、図１５〜図１７に示すように、中空部材２６の断面形状を正三角形（図１４参照）、正四角形（図１５参照）、正円形（図１６参照）にすることもできる。また、図９に示す装置１０Ｂは、光源４３（白熱電球５０）を使用しているが、光源４３に換えてヒータ（熱源）を利用することもできる。ヒータを稼動させることで、空気がヒータによって熱せられ、空気が各中空部材２６の空気流路３０を通り、脱臭カートリッジ１２の一端部２７から反対端部２８に向かってゆっくりと対流する。
【図面の簡単な説明】
【００３９】
【図１】上端部の側から見た一例として示す脱臭装置の斜視図。
【図２】下端部の側から見た脱臭装置の斜視図。
【図３】脱臭装置の上面図。
【図４】脱臭装置の底面図。
【図５】図１の５−５線矢視断面図。
【図６】図３の６−６線矢視断面図。
【図７】一例として示す脱臭カートリッジの斜視図。
【図８】使用状態で示す脱臭装置の側面図。
【図９】上端部の側から見た他の一例として示す脱臭装置の斜視図。
【図１０】下端部の側から見た脱臭装置の斜視図。
【図１１】脱臭装置の底面図。
【図１２】脱臭装置の上面図。
【図１３】図１１の１３−１３線矢視断面図。
【図１４】使用状態で示す脱臭装置の側面図。
【図１５】他の一例として示す脱臭カートリッジの上面図。
【図１６】他の一例として示す脱臭カートリッジの上面図。
【図１７】他の一例として示す脱臭カートリッジの上面図。
【符号の説明】
【００４０】
１０Ａ  脱臭装置
１０Ｂ  脱臭装置
１１    収納ケース
１２    脱臭カートリッジ
１３    送風ファン
１９    収納スペース
２０    下端部
２２    フック（吊り下げ手段）
２３    吊り下げ紐（吊り下げ手段）
２４    上端部
２６    中空部材
２７    一端部
２８    反対端部
３０    空気流路
３１    内周面
３９    バッテリー
４０    ソーラーパネル
４３    光源
４４    スタンド
５０    電球
【図１】
0005237591.tif 000002
【図２】
0005237591.tif 000003
【図３】
0005237591.tif 000004
【図４】
0005237591.tif 000005
【図５】
0005237591.tif 000006
【図６】
0005237591.tif 000007
【図７】
0005237591.tif 000008
【図８】
0005237591.tif 000009
【図９】
0005237591.tif 000010
【図１０】
0005237591.tif 000011
【図１１】
0005237591.tif 000012
【図１２】
0005237591.tif 000013
【図１３】
0005237591.tif 000014
【図１４】
0005237591.tif 000015
【図１５】
0005237591.tif 000016
【図１６】
0005237591.tif 000017
【図１７】
0005237591.tif 000018